(57)【要約】【課題】ゾーニング空調用の室内機と、ゾーニング空調用でない室内機とが混在して設置されている場合に、省エネルギー性能の向上を可能にする。【解決手段】空気調和システム１００は、ゾーン２０１の中央に向かって風を吹き出すゾーニング空調用の室内機である第１室内機１１０と、ゾーニング空調用の室内機１１０ではない第２室内機１２０とを含み、複数のゾーンそれぞれに対応して設置された複数の室内機を備える。空気調和システム１００は、複数のゾーン２０１それぞれを対象として、人が存在する在ゾーンから人が存在しない不在ゾーンに対象のゾーンが変化した場合に、対象のゾーンに設置された室内機室内機が第１室内機１１０と第２室内機１２０とのどちらであるかに応じて異なる制御を行う。【選択図】図２
2020125881.tif 000002
【特許請求の範囲】
【請求項１】
複数のゾーンに分かれた空間の空気調和を行う空気調和システムであり、
ゾーンの中央に向かって風を吹き出すゾーニング空調用の室内機である第１室内機と、前記ゾーニング空調用の室内機ではない第２室内機とを含み、前記複数のゾーンそれぞれに対応して設置された複数の室内機と、
前記複数のゾーンそれぞれを対象として、人が存在する在ゾーンから人が存在しない不在ゾーンに対象のゾーンが変化した場合に、前記対象のゾーンに設置された室内機に対して制御を行う制御装置であって、前記室内機が前記第１室内機と前記第２室内機とのどちらであるかに応じて異なる制御を行う制御装置と
を備える空気調和システム。
【請求項２】
前記制御装置は、前記室内機が前記第２室内機である場合には、送風量と風向との少なくともいずれかの運転パラメータの制御を行う
請求項１に記載の空気調和システム。
【請求項３】
前記制御装置は、前記室内機が前記第２室内機である場合には、前記送風量の運転パラメータを送風量が少なくなる設定値に変更する
請求項２に記載の空気調和システム。
【請求項４】
前記制御装置は、前記対象のゾーンが前記不在ゾーンである状態が基準時間以上継続した場合には、前記送風量の運転パラメータを、さらに送風量が少なくなる設定値に変更する
請求項３に記載の空気調和システム。
【請求項５】
前記複数の室内機は、それぞれ、対応するゾーンに人が存在するか否かを検知する人感センサを備え、
前記制御装置は、前記人感センサによって検知された結果に基づき、前記在ゾーンから前記不在ゾーンに対象のゾーンが変化したことを検知する
請求項１から４までのいずれか１項に記載の空気調和システム。
【請求項６】
前記空間は、オフィスにおける執務室であり、
前記複数のゾーンには、前記オフィスで働く従業員の自席がある自席ゾーンと、打合せを行うための打合せゾーンとが含まれ、
前記第１室内機は、前記自席ゾーンに設置され、前記第２室内機は、前記打合せゾーンに設置された
請求項１から５までのいずれか１項に記載の空気調和システム。
【請求項７】
複数のゾーンに分かれた空間の空気調和を行い、ゾーンの中央に向かって風を吹き出すゾーニング空調用の室内機である第１室内機と、前記ゾーニング空調用の室内機ではない第２室内機とを含み、前記複数のゾーンそれぞれに対応して設置された複数の室内機を備える空気調和システムの制御方法であり、
前記複数のゾーンそれぞれを対象として、人が存在する在ゾーンから人が存在しない不在ゾーンに対象のゾーンが変化した場合に、前記対象のゾーンに設置された室内機に対して前記室内機が前記第１室内機と前記第２室内機とのどちらであるかに応じて異なる制御を行う空気調和システムの制御方法。
【発明の詳細な説明】
【技術分野】
【０００１】
この発明は、複数の室内機を用いて広い室内空間の温度調節する空気調和システムに関する。
【背景技術】
【０００２】
オフィスの執務室といった場所に設置される空気調和システムでは、広い室内空間を空調するために、１つの室内に複数の室内機が配置される。そして、各室内機が冷房運転又は暖房運転を行うことにより、室内空間全体が快適な室温に調整される。
このような空気調和システムでは、室内機の温度センサにより空間の温度が検知され、検知された温度に基づいて空間全体の温度が均一化されるような制御が行われている。さらに、人感センサにより人が存在するか否かが検知され、検知結果に基づいて制御を行うシステムも知られている。
【０００３】
特許文献１には、各空調エリアにおける人の動態を検出し、検出結果に基づいて各空調エリアを空調することが記載されている。これにより、特許文献１では、消費エネルギーの削減を図っている。
【０００４】
また、冷熱又は温熱を対象のゾーンで十分に熱交換した後に外部に流れるようにしたゾーニング空調と呼ばれる技術がある。この技術を用いることにより、対象のゾーンの外部への空調熱の流れ出しが少なくなり、対象のゾーンのみの空調負荷で運転可能になる。
【先行技術文献】
【特許文献】
【０００５】
【特許文献１】特開２０１４−２４０７２９号公報
【発明の概要】
【発明が解決しようとする課題】
【０００６】
ゾーニング空調用の室内機と、ゾーニング空調用でない室内機とが混在して設置される場合がある。これは、例えば、建物のレイアウト等の関係から室内空間の一部空間にはゾーニング空調用の室内機を設置できない場合があり、ゾーニング空調用の室内機を導入する際に、その空間にはゾーニング空調用でない室内機が設置されるためである。具体的には、ゾーニング空調用の室内機は吹出口と吸込口とが離れているため、ダクトを通す必要がある。しかし、建物のレイアウト等の関係から、ダクトを通すことが困難な場所がある。この場所には、ゾーニング空調用の室内機を設置できない。
【０００７】
ゾーニング空調用の室内機と、ゾーニング空調用でない室内機とが混在して設置されている場合に、従来の制御を適用すると、ゾーニング空調用でない室内機によって吹出された空気がゾーニング空調用の室内機の対象のゾーンに侵入してしまう。すると、ゾーニング空調用の室内機は、ゾーニング空調用でない室内機が設置されたゾーンの負荷まで処理することになる。その結果、ゾーニング空調用の室内機の省エネルギー性能を損なってしまう。
【０００８】
この発明は、ゾーニング空調用の室内機と、ゾーニング空調用でない室内機とが混在して設置されている場合に、省エネルギー性能の向上を可能にすることを目的とする。
【課題を解決するための手段】
【０００９】
この発明に係る空気調和システムは、
複数のゾーンに分かれた空間の空気調和を行う空気調和システムであり、
ゾーンの中央に向かって風を吹き出すゾーニング空調用の室内機である第１室内機と、前記ゾーニング空調用の室内機ではない第２室内機とを含み、前記複数のゾーンそれぞれに対応して設置された複数の室内機と、
前記複数のゾーンそれぞれを対象として、人が存在する在ゾーンから人が存在しない不在ゾーンに対象のゾーンが変化した場合に、前記対象のゾーンに設置された室内機に対して制御を行う制御装置であって、前記室内機が前記第１室内機と前記第２室内機とのどちらであるかに応じて異なる制御を行う制御装置と
を備える。
【発明の効果】
【００１０】
この発明では、在ゾーンから不在ゾーンに対象のゾーンが変化した場合に、対象のゾーンに設けられた室内機がゾーニング空調用の室内機である第１室内機と、ゾーニング空調用の室内機ではない第２室内機とのどちらであるかに応じて異なる制御を行う。これにより、ゾーニング空調用の室内機と、ゾーニング空調用でない室内機とが混在して設置されている場合に、省エネルギー性能の向上を可能にすることができる。
【図面の簡単な説明】
【００１１】
【図１】実施の形態１に係る空気調和システム１００が設置される空間２００の説明図。
【図２】実施の形態１に係る空気調和システム１００の構成図。
【図３】実施の形態１に係る第１室内機１１０及び第２室内機１２０の構成図。
【図４】実施の形態１に係る制御装置１３３の構成図。
【図５】人が存在する在ゾーンから人が存在しない不在ゾーンにゾーン２０１が変化した場合の制御を示すフローチャート。
【発明を実施するための形態】
【００１２】
実施の形態１．
＊＊＊構成の説明＊＊＊
図１を参照して、実施の形態１に係る空気調和システム１００が設置される空間２００を説明する。
図１では、空間２００は、執務室を示している。空間２００が示す執務室では、業務内容別に、グループＥとグループＦとグループＧとグループＨとにグループ分けされ、各グループ用の什器が配置されている。
【００１３】
上長席３１１ＥはグループＥの上長の席であり、上長席３１１ＦはグループＦの上長の席であり、上長席３１１ＧはグループＧの上長の席であり、上長席３１１ＨはグループＨの上長の席である。また、担当者席３１２Ａ及び担当者席３１２ＥがグループＥの担当者の席であり、担当者席３１２ＦがグループＦの担当者の席であり、担当者席３１２Ｃ及び担当者席３１２ＧがグループＧの担当者の席であり、担当者席３１２ＨがグループＨの担当者の席である。各担当者席３１２には、６人分の担当者の席がある。上長及び担当者は、原則として自席に在席する。
上長席３１１及び担当者席３１２以外に、打合せスペース３１３Ｂ及び打合せスペース３１３Ｄが設けられている。打合せスペース３１３Ｂ及び打合せスペース３１３Ｄは、打合せ時にのみ人が在席する。
ドア３１４Ａ及びドア３１４Ｄにより執務室への出入りが行われる。また、上長席３１１と担当者席３１２と打合せスペース３１３との間の空間は、通路として利用される。
【００１４】
図２を参照して、実施の形態１に係る空気調和システム１００の構成を説明する。
空気調和システム１００は、オフィスビルといった大型の商業建物に設置され、室内の空気調和を行う。空気調和システム１００は、複数のゾーン２０１に分かれた空間２００の空気調和を行う。図２では、空間２００は、ゾーン２０１Ａからゾーン２０１Ｈまでの８個のゾーンに分かれている。つまり、ゾーン２０１Ａからゾーン２０１Ｈまでの８個のゾーンが空気調和システム１００の空調対象エリアである。各ゾーン２０１は、例えば、１辺が７．２ｍ（メートル）程度の矩形のエリアである。
なお、図２では、各ゾーンの境界が点線によって示されているが、各ゾーンの境界には壁があるわけではない。
【００１５】
ゾーン２０１Ａには、担当者席３１２Ａが配置されている。ゾーン２０１Ｂには、打合せスペース３１３Ｂが配置されている。ゾーン２０１Ｃには、担当者席３１２Ｃが配置されている。ゾーン２０１Ｄには、打合せスペース３１３Ｄが配置されている。ゾーン２０１Ｅには、上長席３１１Ｅ及び担当者席３１２Ｅが配置されている。ゾーン２０１Ｆには、上長席３１１Ｆ及び担当者席３１２Ｆが配置されている。ゾーン２０１Ｇには、上長席３１１Ｇ及び担当者席３１２Ｇが配置されている。ゾーン２０１Ｈには、上長席３１１Ｈ及び担当者席３１２Ｈが配置されている。
【００１６】
空気調和システム１００は、ゾーニング空調用の室内機である第１室内機１１０と、ゾーニング空調用の室内機ではない第２室内機１２０とを含む複数の室内機を備える。各室内機は、複数のゾーンそれぞれに対応して設置される。図２では、上長席３１１又は担当者席３１２があるゾーン２０１Ａとゾーン２０１Ｃとゾーン２０１Ｅとゾーン２０１Ｆとゾーン２０１Ｇとゾーン２０１Ｈとには、第１室内機１１０が設置されている。また、打合せスペース３１３があるゾーン２０１Ｂとゾーン２０１Ｄとには、第２室内機１２０が設置されている。
なお、各ゾーン２０１の大きさが同じである必要はない。
【００１７】
図３を参照して、実施の形態１に係る第１室内機１１０及び第２室内機１２０の構成を説明する。
図３では、ゾーン２０１Ａとゾーン２０１Ｂとの２つのゾーン２０１が示されている。図３では、破線矢印は吹出風向を示す。
【００１８】
ゾーニング空調用の第１室内機１１０は、冷熱又は温熱を対象のゾーン２０１で十分に熱交換した後に外部に流れるようにした室内機である。具体的には、第１室内機１１０は、対象のゾーン２０１の端部に吹出口１１１が設けられるとともに、対象のゾーン２０１の中央に吸込口１１２が設けられ、対象のゾーンの端部から対象のゾーン２０１の中央に向かって風を吹き出す室内機である。つまり、第１室内機１１０は、吹出口１１１から吸込口１１２の方に向かって風を吹き出す室内機である。すなわち、第１室内機１１０は、対象のゾーン２０１の内側に向かって風を吹き出す室内機である。このように風を吹き出すことにより、対象のゾーン２０１を選択的に温度調節することが可能である。
なお、吹出口１１１は、対象のゾーン２０１の端部よりも少し中央寄りの位置に設置されていてもよい。ここで、ゾーン２０１が１辺が７．２ｍの矩形のエリアである場合には、吹出口１１１は、吸込口１１２から３．６ｍ以内の範囲に設置される。
実施の形態１では、第１室内機１１０は、天井埋込型の室内機とする。
【００１９】
図３では、第１室内機１１０は、矩形の対象のゾーン２０１Ａの４辺それぞれの付近に吹出口１１１ａ〜吹出口１１１ｄが設けられている。また、対象のゾーン２０１Ａの中央に吸込口１１２が設けられている。そして、吹出口１１１ａ〜吹出口１１１ｄから吸込口１１２に向かって風が吹き出される。
なお、４辺それぞれの付近に吹出口１１１が設けられていなくてもよい。例えば、吹出口１１１は３つであり、４辺のうち３辺の付近にのみ吹出口１１１が設けられていてもよい。また、矩形の対象のゾーン２０１Ａの４隅それぞれに吹出口１１１が設けられていてもよい。
【００２０】
ゾーニング空調用でない第２室内機１２０は、ゾーニング空調用の第１室内機１１０のように風を吹き出さない室内機である。例えば、第２室内機１２０は、対象のゾーン２０１の中央から外側に向かって風を吹き出す室内機である。実施の形態１では、第２室内機１２０は、四方向天井カセット型の室内機とする。
図３では、第２室内機１２０は、中央に設けられた吸込口１２２のすぐ外側に４つの吹出口１２１ａ〜吹出口１２１ｄが設けられている。そして、吹出口１２１ａ〜吹出口１２１ｄから対象のゾーン２０１Ｂの外側に向かって風が吹き出される。
【００２１】
各第１室内機１１０及び各第２室内機１２０には、人感センサ１３１が設けられている。人感センサ１３１は、第１室内機１１０又は第２室内機１２０が設置されたゾーン２０１に人が存在するか否かを検知する。人感センサ１３１は、具体例としては赤外線センサである。
これにより、各第１室内機１１０及び各第２室内機１２０は、設置されたゾーン２０１に人が存在するか否かを自機に設置された人感センサ１３１により特定できる。そのため、人感センサ１３１と第１室内機１１０又は第２室内機１２０とが同じゾーン２０１にあるという情報の紐付けが不要となり、据え付け作業を軽減できる。
なお、各ゾーン２０１に人が存在するか否かを検知する方法は人感センサ１３１を用いる方法に限らない。例えば、各ゾーン２０１に設置されたコンピュータのキーボード操作の有無を検知することにより、各ゾーン２０１に人が存在するか否かを検知してもよい。
【００２２】
各第１室内機１１０及び各第２室内機１２０には、吸込口１１２又は吸込口１２２の付近に温度センサ１３２が設けられている。温度センサ１３２は、吸込口１１２又は吸込口１２２に吸入される空気の温度を検知する。
【００２３】
各第１室内機１１０及び各第２室内機１２０には、制御装置１３３が設けられている。制御装置１３３は、第１室内機１１０又は第２室内機１２０と、第１室内機１１０又は第２室内機１２０に接続された室外機との少なくともいずれかを制御する。
【００２４】
図４を参照して、実施の形態１に係る制御装置１３３の構成を説明する。
制御装置１３３は、マイクロコンピュータといったコンピュータである。制御装置１３３は、測定部１４１と、演算部１４２と、制御部１４３と、記憶部１４４とを備える。
測定部１４１は、人感センサ１３１によって検知された結果と、温度センサ１３２によって検知された温度といった情報を取得する。演算部１４２は、測定部１４１によって取得された情報に基づき、種々の運転パラメータを演算する。制御部１４３は、演算部１４２によって演算された運転パラメータに従い、第１室内機１１０と、第１室内機１１０に接続された室外機との少なくともいずれかを制御する。記憶部１４４は、制御に必要な情報を記憶する。具体例としては、第１室内機１１０の記憶部１４４は、ゾーニング空調用の第１室内機１１０であることを示す種別情報を記憶する。第２室内機１２０の記憶部１４４は、ゾーニング空調用でない第２室内機１２０であることを示す種別情報を記憶する。また、第１室内機１１０及び第２室内機１２０の記憶部１４４は、空気調和システム１００がゾーニング空調用の第１室内機１１０とゾーニング空調用でない第２室内機１２０との両方を備えていることを記憶している。
【００２５】
＊＊＊動作の説明＊＊＊
実施の形態１に係る空気調和システム１００の動作を説明する。
実施の形態１に係る空気調和システム１００の動作は、実施の形態１に係る空気調和システム１００の制御方法に相当する。
【００２６】
まず、実施の形態１に係る空気調和システム１００の基本的な動作について説明する。
空気調和システム１００は、利用者によって冷房運転と暖房運転と送風運転といった運転モードが選択される。
運転モードが冷房運転の場合には、各第１室内機１１０の吸込口１１２から吸入された空気が冷却されて、吹出口１１１から吹き出され、各第２室内機１２０の吸込口１２２から吸入された空気が冷却されて、吹出口１２１から吹き出される。運転モードが暖房運転の場合には、各第１室内機１１０の吸込口１１２から吸入された空気が加熱されて、吹出口１１１から吹き出され、各第２室内機１２０の吸込口１２２から吸入された空気が加熱されて、吹出口１２１から吹き出される。運転モードが送風運転の場合には、各第１室内機１１０の吸込口１１２から吸入された空気がそのまま吹出口１１１から吹き出され、各第２室内機１２０の吸込口１２２から吸入された空気がそのまま吹出口１２１から吹き出される。
この際、各ゾーン２０１について、対象のゾーン２０１に設置された室内機の制御装置１３３は、対象のゾーン２０１の温度が設定温度に到達しているか、対象のゾーン２０１に人が存在するか否かといった情報に基づき、運転制御を行う。具体的には、制御装置１３３は、サーモオン／オフと、設定温度と、風量と、風向といった運転パラメータを制御する。なお、サーモオンとは室外機を動作させる運転であり、サーモオフとは室外機を動作させない運転である。つまり、サーモオフの場合には、運転モードが冷房運転及び暖房運転の場合であっても、送風運転と同様の状態になる。
【００２７】
図５を参照して、人が存在する在ゾーンから人が存在しない不在ゾーンにゾーン２０１が変化した場合の制御を説明する。
図５に示す処理は、各第１室内機１１０及び各第２室内機１２０の制御装置１３３で定期的に実行される。
【００２８】
（ステップＳ１：検知処理）
制御装置１３３の測定部１４１は、人感センサ１３１の検知結果を取得する。人感センサ１３１の検知結果は、対象のゾーン２０１に人が存在するか否かを示す。測定部１４１は、人感センサ１３１の検知結果を記憶部１４４に書き込む。
【００２９】
（ステップＳ２：変化判定処理）
制御装置１３３の制御部１４３は、ステップＳ１で取得された検知結果を記憶部１４４から読み出す。
制御部１４３は、人が存在することを検知結果が示す場合には、処理をステップＳ３に進める。一方、制御部１４３は、人が存在しないことを検知結果が示す場合には、処理をステップＳ４に進める。
【００３０】
（ステップＳ３：基準値設定処理）
制御装置１３３の制御部１４３は、種々の運転パラメータを基準値に設定する。ここで、基準値とは、温度センサ１３２によって検知された温度といった情報に基づき、演算部１４２によって演算されて得られる値である。
【００３１】
（ステップＳ４：種別判定処理）
制御装置１３３の制御部１４３は、記憶部１４４に記憶された種別情報を参照して、室内機が、ゾーニング空調用の第１室内機１１０であるか、ゾーニング空調用でない第２室内機１２０であるかを判定する。
制御部１４３は、室内機がゾーニング空調用の第１室内機１１０である場合には、処理をステップＳ５に進める。一方、制御部１４３は、室内機がゾーニング空調用でない第２室内機１２０である場合には、処理をステップＳ６に進める。
【００３２】
（ステップＳ５：第１制御処理）
制御装置１３３の制御部１４３は、サーモオン／オフと、設定温度といった運転パラメータの制御を行う。具体的には、制御部１４３は、サーモオンからサーモオフに変更する制御と、冷房運転時には設定温度を上げ、暖房運転時には設定温度を下げる制御と等を行う。つまり、対象のゾーン２０１に人が存在しないため、制御部１４３は、消費電力を削減するような制御を行う。
【００３３】
（ステップＳ６：第２制御処理）
制御装置１３３の制御部１４３は、送風量と風向との少なくともいずれかの運転パラメータの制御を行う。具体的には、制御部１４３は、送風量の運転パラメータを送風量が少なくなる設定値に変更する制御と、風向の運転パラメータを真下に近くなる設定値に変更する制御との少なくともいずれかの制御を行う。送風量の運転パラメータは、例えば、ファンノッチと、送風口の数とである。例えば、制御部１４３は、送風量に３段階の設定がある場合に、１段階低い送風量の設定値に変更する。また、制御部１４３は、風向の運転パラメータをできるだけ真下になるように変更する。
なお、制御部１４３は、送風量と風向との少なくともいずれかの運転パラメータの制御とともに、サーモオン／オフと、設定温度といった運転パラメータの制御を行ってもよい。
【００３４】
つまり、制御装置１３３は、在ゾーンから不在ゾーンに対象のゾーン２０１が変化した場合に、対象のゾーン２０１に設置された室内機に対して、室内機が第１室内機１１０と第２室内機１２０とのどちらであるかに応じて異なる制御を行う。具体的には、制御装置１３３は、室内機が第１室内機１１０である場合には、消費電力を削減するような制御を行い、室内機が第２室内機１２０である場合には、送風量と風向との少なくともいずれかの運転パラメータの制御を行う。
また、制御装置１３３は、不在ゾーンから在ゾーンに対象のゾーン２０１が変化した場合に、対象のゾーン２０１に設置された室内機の運転パラメータを基準値に戻す。
【００３５】
＊＊＊実施の形態１の効果＊＊＊
以上のように、実施の形態１に係る空気調和システム１００は、各ゾーン２０１を対象として、在ゾーンから不在ゾーンに対象のゾーン２０１が変化した場合に、対象のゾーン２０１に設置された室内機に対して、室内機が第１室内機１１０と第２室内機１２０とのどちらであるかに応じて異なる制御を行う。特に、実施の形態１に係る空気調和システム１００は、室内機が第２室内機１２０である場合には、送風量の運転パラメータを送風量が少なくなる設定値に変更する制御と、風向の運転パラメータを真下に近くなる設定値に変更する制御との少なくともいずれかの制御を行う。
これにより、ゾーニング空調用の第１室内機１１０と、ゾーニング空調用でない第２室内機１２０とが混在して設置されている場合に、省エネルギー性能の向上を可能にすることができる。
【００３６】
図３を参照して具体的に説明する。
在ゾーンから不在ゾーンに対象のゾーン２０１が変化した場合に、室内機が第１室内機１１０と第２室内機１２０とのどちらであるかに関わりなく、サーモオフに変更する、設定温度を変更するといった消費電力を削減するような制御を行うとする。ここでは、サーモオフに変更するとする。
ゾーン２０１Ａに設置されたゾーニング空調用の第１室内機１１０は、冷熱又は温熱を対象のゾーン２０１Ａで十分に熱交換した後に外部に流れるように気流を制御している。つまり、第１室内機１１０は、対象のゾーン２０１Ａだけを温度調節するように気流を制御している。
このとき、ゾーン２０１Ｂが不在ゾーンになったとする。すると、ゾーン２０１Ｂに設置された第２室内機１２０がサーモオフに変更される。第２室内機１２０がサーモオフに変更されると、吹出口１２１ａ〜吹出口１２１ｄから対象のゾーン２０１Ｂの外側に向かって、吸込口１２２から吸入された空気がそのまま吹き出される。その結果、ゾーン２０１Ｂの空気がゾーン２０１Ａに流れる。第２室内機１２０は、サーモオフになっているため、ゾーン２０１Ｂの空気は温度調節されていない空気である。つまり、第１室内機１１０による気流の制御を乱し、ゾーン２０１Ｂの空調負荷をゾーン２０１Ａに与えることになる。
【００３７】
概ねの場合に人が存在するゾーン２０１に第１室内機１１０が設置され、人が存在しない時間があるゾーン２０１に第２室内機１２０が設置されるといったことが考えられる。具体的には、図２に示すように、オフィスであれば、従業員の自席がある自席ゾーンに第１室内機１１０が設置され、打合せスペースがある打合せゾーンに第２室内機１２０が設置されるといったことが考えられる。これにより、打合せゾーンに人が存在しない場合には、打合せゾーンについては消費電力を削減するような制御を行いつつ、自席ゾーンだけを効率的に温度調節することが可能になる。
このような場合に、実施の形態１に係る空気調和システム１００の制御を行うことにより、省エネルギー性能の向上を可能にすることができる。
【００３８】
＊＊＊他の構成＊＊＊
＜変形例１＞
実施の形態１では、各第１室内機１１０及び各第２室内機１２０が備える制御装置１３３により制御が行われた。しかし、空気調和システム１００は、全ての第１室内機１１０及び全ての第２室内機１２０制御する制御装置を備え、この制御装置により、室内機が第１室内機１１０と第２室内機１２０とのどちらであるかに応じて異なる制御が行われてもよい。また、この制御装置の指示に従い、各第１室内機１１０及び各第２室内機１２０が備える制御装置１３３により制御が行われてもよい。
【００３９】
＜変形例２＞
実施の形態１では、制御部１４３は、第２室内機１２０が設置されているゾーン２０１が在ゾーンから不在ゾーンに変化した場合に、送風量が少なくなる設定値に変更した。制御部１４３は、第２室内機１２０が設置されているゾーン２０１が不在ゾーンである状態が基準時間以上継続した場合には、さらに送風量が少なくなる設定値に変更してもよい。例えば、制御部１４３は、もう１段階低い送風量の設定値に変更する。これにより、第２室内機１２０が設置されているゾーン２０１の快適性は落ちるものの、周囲のゾーン２０１に与える空調負荷が少なくなり、省エネルギー性能を向上させることができる。
【００４０】
＜変形例３＞
実施の形態１では、制御部１４３は、第２室内機１２０が設置されているゾーン２０１が在ゾーンから不在ゾーンに変化した場合に、送風量が少なくなる設定値に変更した。しかし、第２室内機１２０が設置されているゾーン２０１が在ゾーンの場合であっても、他のゾーン２０１に設置された第１室内機１１０が冷房運転又は暖房運転している場合には、第２室内機１２０の運転パラメータを送風量が少なくなる設定値に変更してもよい。また、第２室内機１２０が設置されているゾーン２０１に隣接するゾーン２０１に設置された第１室内機１１０が冷房運転又は暖房運転している場合にのみ、第２室内機１２０の運転パラメータを送風量が少なくなる設定値に変更してもよい。
なお、この制御を行う場合には、制御部１４３は、他の第１室内機１１０から運転モードの情報を取得する必要がある。そのため、変形例１で説明したように、全ての第１室内機１１０及び全ての第２室内機１２０制御する制御装置によってこの制御がされるとしてもよい。
【符号の説明】
【００４１】
１００  空気調和システム、１１０  第１室内機、１１１  吹出口、１１２  吸込口、１２０  第２室内機、１２１  吹出口、１２２  吸込口、１３１  人感センサ、１３２  温度センサ、１３３  制御装置、１４１  測定部、１４２  演算部、１４３  制御部、１４４  記憶部、２００  空間、２０１  ゾーン、３１１  上長席、３１２  担当者席、３１３  打合せスペース、３１４  ドア。
【図１】
2020125881.tif 000003
【図２】
2020125881.tif 000004
【図３】
2020125881.tif 000005
【図４】
2020125881.tif 000006
【図５】
2020125881.tif 000007